(57)【特許請求の範囲】
【請求項１】
少なくとも１つの通信端末（Ｔ）が少なくとも１つの情報源（ＩＳ）に接続されたときに前記少なくとも１つの情報源（ＩＳ）で情報を検索するように構成された前記少なくとも１つの通信端末（Ｔ）のためのデバイス（Ｄ）であって、ｉ）選択された端末ユーザのために選択された各時点に前記情報源（ＩＳ）で検索されるべき選択された情報を定義する少なくとも１つのセマンティック検索要求を格納するように構成された第１の手段（ＦＭ）と、ｉｉ）前記選択された各時点に前記格納されたセマンティック要求を解釈するように構成された第２の手段（ＳＭ）と、ｉｉｉ）前記選択された各時点に解釈された前記セマンティック検索要求を自動的に実行し、ユーザの実行された要求に対応する情報が見つけられたときにユーザに通知するように構成された第３の手段（ＴＭ）と、を備えるデバイス（Ｄ）。
【請求項２】
前記第２の手段（ＳＭ）および第３の手段（ＴＭ）は、前記対応するユーザが自分の端末（Ｔ）を前記情報源（ＩＳ）に接続するたびに前記第１の手段（ＦＭ）によって格納された前記セマンティック検索要求を自動的にかつ別々に解釈し実行するように構成される、ことを特徴とする請求項１に記載のデバイス。
【請求項３】
前記第２の手段（ＳＭ）および第３の手段（ＴＭ）は、前記対応するユーザによって定義された選択された各時点に前記第１の手段（ＦＭ）によって格納された前記セマンティック検索要求を自動的にかつ別々に解釈し実行するように構成される、ことを特徴とする請求項１に記載のデバイス。
【請求項４】
前記第１の手段（ＦＭ）は、ユーザが前記端末（Ｔ）を用いてセマンティック検索要求を定義することができるようにするように構成される、ことを特徴とする請求項１乃至３のいずれか１項に記載のデバイス。
【請求項５】
前記第３の手段（ＴＭ）は、所与のセマンティック検索要求に関連して指定された通信手段への通知メッセージの送信をトリガすることによりユーザに通知するように構成される、ことを特徴とする請求項１乃至４のいずれか１項に記載のデバイス。
【請求項６】
前記通信手段はユーザ端末（Ｔ）である、ことを特徴とする請求項５に記載のデバイス。
【請求項７】
前記第３の手段（ＴＭ）は、前記セマンティック検索要求に関連して指定されたタイプの通知メッセージを用いてユーザに通知するように構成される、ことを特徴とする請求項１乃至６のいずれか１項に記載のデバイス。
【請求項８】
前記通知メッセージ・タイプは、ＳＭＳ、電子メール、ポップアップ・ウィンドウ、および任意の種類のウィンドウを含むグループ内で選択される、ことを特徴とする請求項７に記載のデバイス。
【請求項９】
前記第３の手段（ＴＭ）は、ワールドワイドウェブによって定義された情報源（ＩＳ）で情報を検索するように構成される、ことを特徴とする請求項１乃至８のいずれか１項に記載のデバイス。
【請求項１０】
クッキーの形で少なくとも部分的に構成される、ことを特徴とする請求項１乃至９のいずれか１項に記載のデバイス。
【請求項１１】
請求項１乃至１０のいずれか１項に記載の少なくとも１つのデバイス（Ｄ）を備える、通信端末（Ｔ）のためのブラウザ（Ｂ）。
【請求項１２】
少なくとも１つの情報源（ＩＳ）に接続された少なくとも１つの通信端末（Ｔ）のために前記情報源（ＩＳ）で情報を検索するデバイス（Ｄ）に含まれ、前記デバイス（Ｄ）によって実行される方法であって、ｉ）選択された端末ユーザのために選択された各時点に前記情報源（ＩＳ）で検索されるべき選択された情報を定義するセマンティック検索要求を格納するステップと、ｉｉ）前記選択された各時点にこのセマンティック要求を自動的に解釈するステップと、ｉｉｉ）前記選択された各時点に解釈された前記セマンティック検索要求を自動的に実行し、ユーザの実行された要求に対応する情報が見つけられたときにユーザに通知するステップと、を含む方法。
【請求項１３】
対応するユーザが自分の端末（Ｔ）を前記情報源（ＩＳ）に接続するたびに前記セマンティック検索要求を自動的に解釈し実行する、ことを特徴とする請求項１２に記載の方法。
【請求項１４】
前記対応するユーザによって定義された選択された各時点に前記セマンティック検索要求を自動的に解釈し実行する、ことを特徴とする請求項１２に記載の方法。
【請求項１５】
ユーザのセマンティック検索要求に関連して指定されたユーザの通信手段への通知メッセージの送信をトリガすることによりこのユーザに通知する、ことを特徴とする請求項１２乃至１４のいずれか１項に記載の方法。
【請求項１６】
前記対応するユーザの前記端末（Ｔ）に前記通知メッセージを送信する、ことを特徴とする請求項１５に記載の方法。
【請求項１７】
前記セマンティック検索要求に関連して指定されたタイプの通知メッセージを用いて端末ユーザに通知する、ことを特徴とする請求項１２乃至１６のいずれか１項に記載の方法。
【請求項１８】
前記通知メッセージ・タイプは、ＳＭＳ、電子メール、ポップアップ・ウィンドウ、および任意の種類のウィンドウを含むグループ内で選択される、ことを特徴とする請求項１７に記載の方法。
【請求項１９】
ワールドワイドウェブによって定義された情報源（ＩＳ）で情報を検索する、ことを特徴とする請求項１２乃至１８のいずれか１項に記載の方法。
【請求項２０】
ヒューマン／マシン・インターフェース（ＨＭＩ）を備える少なくとも１つの通信端末（Ｔ）のためにクッキー（Ｄ）を生成するデバイス（Ｄ）に含まれ、前記デバイス（Ｄ）によって実行される方法であって、ｉ）選択された端末ユーザのために、選択された各時点に少なくとも１つの情報源（ＩＳ）で選択された情報を検索することを意図されたセマンティック検索要求を定義するために前記ヒューマン／マシン・インターフェース（ＨＭＩ）を使用するステップと、ｉｉ）セマンティック・モジュールを備え、前記セマンティック・モジュールを用いて前記定義されたセマンティック検索要求を自動的に解釈し、次いで、前記選択された各時点に解釈された前記セマンティック検索要求を実行し、ユーザの実行された要求に対応する情報が見つけられたときにユーザに通知することを意図されたクッキーを生成するステップと、を含む方法。
【請求項２１】
前記選択された各時点を定義するために前記ヒューマン／マシン・インターフェース（ＨＭＩ）を使用する、ことを特徴とする請求項２０に記載の方法。
【請求項２２】
前記通知メッセージが送信されなければならない通信手段を指定するために前記ヒューマン／マシン・インターフェース（ＨＭＩ）を使用する、ことを特徴とする請求項２０または２１に記載の方法。
【請求項２３】
端末ユーザに送信されなければならない通知メッセージのタイプを指定するために前記ヒューマン／マシン・インターフェース（ＨＭＩ）を使用する、ことを特徴とする請求項２０乃至２２のいずれか１項に記載の方法。
【請求項２４】
前記通知メッセージ・タイプは、ＳＭＳ、電子メール、ポップアップ・ウィンドウ、および任意の種類のウィンドウを含むグループ内で選択される、ことを特徴とする請求項２３に記載の方法。
【発明の詳細な説明】
【技術分野】
【０００１】
本発明は、ブラウザを備えた通信端末による選択された情報の、少なくとも１つの情報源での検索に関する。
【背景技術】
【０００２】
本明細書では、「情報源」は、通信端末がブラウザを用いてアクセスすることができる情報を格納することができる１つまたは複数のネットワーク要素または機器を意味する。したがって、「情報源」は、例えば、しかし制限的にではなく、ワールドワイドウェブ（またはインターネット）のウェブサイトでよい。
【０００３】
さらに、本明細書では、「通信端末」は、別の通信機器とデータを交換するために通信ネットワークに接続されることが可能な任意のタイプの通信機器をも意味する。したがって、「通信端末」は、少なくとも１つの情報源に結合された通信ネットワークに接続可能な通信モジュール、および何らかの情報を検索するためにこの情報源をブラウズすることができるブラウザを備えているので、固定電話、無線電話または移動（またはセルラ）電話、あるいは固定コンピュータまたはポータブルコンピュータ、もしくはその他の携帯情報端末（ＰＤＡ）でよい。
【０００４】
特定の主題に関係する情報が情報源でいつ入手可能になるか分からずに、それらの情報を必要とすることがよくある。例えば、選択されたオーケストラがいつおよび／またはどこで演奏されるか、あるいは特定の製品がいつおよび／またはどこで販売用に入手可能になるかを知りたくなるであろう。あるいは、選択された人の最新のおよび／または最も人気のある映画を取得したくなるであろう。
【０００５】
これらの状況では、（例えば）ユーザは自分の端末をインターネットに接続するたびに、検索された情報が入手可能になるまで、検索されるべき情報を定義するキーワードを自分の端末ブラウザに手動で提供しなければならない。このタイプのリサーチは多くの時間を浪費する可能性があり、すぐ退屈になる可能性がある。
【０００６】
何らかの一般的な情報を自動的に入手するために、Ｎａｂａｚｔａｇと呼ばれるものなど、特定の通信エージェントを使用することも可能である。そのようなエージェントは、専用ウェブサイトの近くに登録された後にこの専用ウェブサイトの近くで何らかの選択された一般的な情報を取得するためにそれ自体を無線ネットワーク（例えばＷｉ−Ｆｉネットワーク）に接続することができる機器である。このエージェントのユーザは、通信端末を使用して、自分のエージェントを専用ウェブサイトの近くに登録し、自分のエージェントを介してそれらに関して何らかの一般的な情報を受信したいと思う１つまたは複数の予め決められた主題またはトピックを選択しなければならない。
【０００７】
言い換えれば、ユーザは、ウェブサイトの近くで主題選択を行い、ウェブサイトが選択された主題に関係する新しい情報を見つけるたびに、またはユーザが自分のエージェントを介して選択された主題に関係する情報を要求するたびに、ウェブサイトはこの新しい情報または要求された情報をユーザ・エージェントに送信し、ユーザ・エージェントは、ユーザがコマンドを介してその情報を必要とするときに、ユーザ・エージェントが備える内蔵ラウドスピーカを用いてその情報をユーザに後でブロードキャストするためにその情報を格納するか、それとも内蔵ラウドスピーカを用いて直ちにその情報をブロードキャストする。
【０００８】
そのような解決策では、ユーザは自分自身の要求を定義することができず、これは、検索の分野を強く限定し、一般的な情報しか提供することができず、正確な特定の情報を提供することができない。さらに、これは、ユーザに自分の通信端末以外に相補的な機器（エージェント）を備えることを強要する。
【発明の概要】
【発明が解決しようとする課題】
【０００９】
したがって、本発明の目的は、この状況を改善することであり、より正確には、要求された情報が入手可能になったときにそれを自動的に取得するためにユーザが自分自身の検索要求を定義することができるようにすることである。
【課題を解決するための手段】
【００１０】
この目的のために、本発明は、少なくとも１つの通信端末が少なくとも１つの情報源に接続されたときにその情報源で情報を検索するように構成された少なくとも１つの通信端末のためのデバイスであって、ｉ）選択された端末ユーザのために選択された瞬間（選択された時点、以下同じ）に情報源（１つまたは複数）で検索されるべき選択された情報を定義するセマンティック検索要求（ｓｅｍａｎｔｉｃ  ｓｅａｒｃｈ  ｒｅｑｕｅｓｔ）を格納するように構成された第１の手段と、ｉｉ）これらの選択された瞬間にこの格納されたセマンティック検索要求を解釈するように構成された第２の手段と、ｉｉｉ）選択された瞬間に解釈されたこの検索要求を自動的に実行し、ユーザの実行された要求に対応する情報が見つけられたときにユーザに通知するように構成された第３の手段とを備えるデバイスを提供する。
【００１１】
本明細書では、「セマンティック検索要求」は、自由で簡単な自然言語の形で表された検索要求を意味し、この形は本発明の特定のモジュール（第２の手段）によって処理される。
【００１２】
このデバイスは、例えば、分散されていても集中されていてもよいソフトウェアモジュールからすべて構成されてよいことに留意することは重要である。
【００１３】
本発明によるデバイスは、別々に考慮されるかまたは結合される追加の特徴を含んでよく、特に、
−  このデバイスの第２の手段および第３の手段は、対応するユーザが自分の端末を情報源（１つまたは複数）に接続するたびに、格納されているセマンティック検索要求を自動的にかつ別々に解釈し実行するように構成されてよく、
−  一変形形態では、その第２の手段および第３の手段は、対応するユーザによって定義された選択された瞬間に、格納されているセマンティック検索要求を自動的にかつ別々に解釈し実行するように構成されてよく、
−  このデバイスの第１の手段は、ユーザが自分の端末を用いてセマンティック検索要求を定義することができるようにするように構成されてよく、
−  このデバイスの第３の手段は、セマンティック検索要求に関連して指定された通信手段への通知メッセージの送信をトリガすることによりユーザに通知するように構成されてよく、
この通信手段は、例えばユーザ端末でよく、
−  このデバイスの第３の手段は、セマンティック検索要求に関連して指定されたタイプの通知メッセージを用いて端末ユーザに通知するように構成されてよく、
例えば、通知メッセージのタイプは、ＳＭＳ、電子メール、ポップアップ・ウィンドウ、および任意の種類のウィンドウの中から選択され、
−  このデバイスの第３の手段は、ワールドワイドウェブ（またはインターネット）によって定義された情報源で情報を検索するように構成されてよく、
−  このデバイスはクッキーの形で少なくとも部分的に構成されてよい。
【００１４】
本発明はまた、通信端末のためのブラウザであって、上記で紹介されたものなど、少なくとも１つのデバイスを備えるブラウザを提供する。
【００１５】
本発明はまた、少なくとも１つの情報源に接続された少なくとも１つの通信端末のためにこの（これらの）情報源（１つまたは複数）で情報を検索することを意図された第１の方法であって、ｉ）選択された端末ユーザのために選択された瞬間に情報源（１つまたは複数）で検索されるべき選択された情報を定義するセマンティック検索要求を格納するステップと、ｉｉ）これらの選択された瞬間に（セマンティック・モジュールの助けを借りて）このセマンティック要求を自動的に解釈するステップと、ｉｉｉ）選択された瞬間に解釈された検索要求を自動的に実行し、ユーザの実行された要求に対応する情報が見つけられたときにユーザに通知するステップとから成る方法を提供する。
【００１６】
本発明による第１の方法は、別々に考慮されるかまたは結合される追加の特徴を含んでよく、特に、
−  対応するユーザが自分の端末を情報源（１つまたは複数）に接続するたびにセマンティック検索要求を自動的に解釈し実行することが可能であり、
−  一変形形態では、対応するユーザによって定義された選択された瞬間にセマンティック検索要求を自動的に解釈し実行することが可能であり、
−  セマンティック検索要求に関連して指定された通信手段への通知メッセージの送信をトリガすることによりユーザに通知することが可能であり、
例えば、端末に通知メッセージを送信することが可能であり、
−  セマンティック検索要求に関連して指定されたタイプの通知メッセージを用いて端末ユーザに通知することが可能であり、
例えば、通知メッセージのタイプは、ＳＭＳ、電子メール、ポップアップ・ウィンドウ、および任意の種類のウィンドウの中から選択され、
−  ワールドワイドウェブ（またはインターネット）によって定義された情報源で情報を検索することが可能である。
【００１７】
本発明はまた、ヒューマン／マシン・インターフェースを備えた少なくとも１つの通信端末のためにクッキーを生成することを意図された第２の方法であって、ｉ）選択されたユーザのために選択された瞬間に少なくとも１つの情報源で選択された情報を検索することを意図されたセマンティック検索要求を定義するためにこのヒューマン／マシン・インターフェースを使用するステップと、ｉｉ）セマンティック・モジュールを備え、このセマンティック・モジュールを用いてこの定義されたセマンティック検索要求を自動的に解釈し、次いで、選択された瞬間に解釈されたセマンティック検索要求を実行し、ユーザの実行された要求に対応する情報が見つけられたときにユーザに通知することを意図されたクッキーを生成するステップとから成る第２の方法を提供する。
【００１８】
本発明による第２の方法は、別々に考慮されるかまたは結合される追加の特徴を含んでよく、特に、
−  選択された瞬間を定義するためにヒューマン／マシン・インターフェースを使用することが可能であり、
−  通知メッセージが送信されなければならない通信手段を指定するためにヒューマン／マシン・インターフェースを使用することが可能であり、
−  端末ユーザに送信されなければならない通知メッセージのタイプを指定するためにヒューマン／マシン・インターフェースを使用することが可能であり、
例えば、通知メッセージのタイプは、ＳＭＳ、電子メール、ポップアップ・ウィンドウ、および任意の種類のウィンドウの中から選択される。
【００１９】
本発明の他の特徴および利点は、以下の詳細な明細、ならびに、情報源、および本発明によるデバイスの一例示的実施形態を備えた通信端末が接続されている通信ネットワークを唯一の図が概略的に、制限的にではなく、例示する添付の図面を検討すれば、明らかになるであろう。
【００２０】
添付の図面は、本発明を完成するためだけなく、必要な場合は、本発明の定義に寄与するためにも役立ち得る。
【００２１】
本発明は、通信ネットワークに接続されることが可能な通信端末の少なくとも１人のユーザが、要求された情報が入手可能になったときに自動的にその情報を取得することができるようにすることを意図されたデバイスおよび関連方法を提供することを目指す。
【００２２】
以下の説明では、通信ネットワークが、ワールドワイドウェブ（またはインターネット）のウェブサイトなどの情報源へのアクセスを提供するｘＤＳＬネットワークであることが考慮される。しかし、本発明は、この種の通信ネットワークに限定されない。実際、本発明は、少なくとも１つの情報源（どのようなタイプであっても）へのアクセスを通信端末に提供する任意のタイプの通信ネットワークにも関する。したがって、通信ネットワークはまた、固定ネットワーク（ケーブルネットワークまたはファイバネットワーク）でも、あるいは無線（無線および／または衛星）ネットワーク（セルラまたはモバイル３ＧＰＰネットワーク（または、ＬＴＥなど、進化型のもの）、またはＷＬＡＮ（「無線ローカルエリアネットワーク」−ＩＥＥＥ８０２．１１ａ、Ｗｉ−Ｆｉ（８０２．１１ｇ）、ＥＴＳＩ  ＨｉｐｅｒＬＡＮ／２）、またはその他のＷｉＭＡＸネットワーク（ＩＥＥＥ８０２．１６、ＥＴＳＩ  ＨｉｐｅｒＭＡＮ）など）でもよい。
【００２３】
さらに、以下の説明では、通信端末は固定コンピュータであることが考慮される。しかし、本発明は、この種の通信端末に限定されない。実際、本発明は、別の通信機器とデータを交換するために通信ネットワークに接続されることが可能な任意のタイプの通信機器をも考慮する。したがって、通信機器はまた、少なくとも１つの情報源に結合された通信ネットワークに接続可能な通信モジュールを備え、何らかの情報を検索するためにこの情報源をブラウズすることが可能なブラウザを備えているので、固定電話、無線電話、または移動（またはセルラ）電話、あるいはポータブルコンピュータ、もしくはその他の携帯情報端末（ＰＤＡ）でよい。
【図面の簡単な説明】
【００２４】
【図１】相互に結合された少なくとも第１のＦＭモジュール、第２のＳＭモジュールおよび第３のＴＭモジュールを備えたデバイスＤを含むシステムを示す図である。
【発明を実施するための形態】
【００２５】
本発明は、相互に結合された少なくとも第１のＦＭモジュール、第２のＳＭモジュールおよび第３のＴＭモジュールを備えたデバイスＤを提案する。
【００２６】
唯一の図に概略的に例示されているように、デバイスＤは、ユーザの（通信）端末Ｔを備えてよい。しかし、そのようなデバイスＤは、ネットワークＮに接続されたサーバ内に部分的に配置されてもよい。より正確には、第１のモジュールＦＭは、ユーザ端末Ｔの中に配置されてよく、一方、第２のモジュールＳＭおよび第３のモジュールＴＭは、サーバの中に配置されてよい。
【００２７】
そのようなデバイスＤは、（場合によっては、少なくとも１つの端末Ｔの）ブラウザＢと協力して働くように意図されており、唯一の図に例示されているように、そのようなブラウザＢの中に少なくとも部分的に含まれてよい。したがって、デバイスＤは、好ましくは、ソフトウェアモジュールで構成される。しかし、デバイスＤはまた、電子回路（１つまたは複数）、ハードウェアモジュール、またはハードウェアモジュールおよびソフトウェアモジュールの組合せで構成されてもよい。
【００２８】
例えば、デバイスＤは、ソフトウェアモジュールで構成されている場合には、ブラウザＢのインターネット・ファイル・フォルダ、および特にセマンティック検索要求に少なくとも部分的に格納されてよい。しかし、デバイスＤは、少なくとも１つの他の場所の中に少なくとも部分的に格納されてもよい。
【００２９】
以下の説明では、制限的でない実施例として、デバイスＤが端末Ｔの中に配置されることが考慮される。
【００３０】
（端末）ブラウザＢは、１つまたは複数のキーワードを含む要求を用いて端末ユーザによって必要とされる情報を見つけようと努めるためにブラウザＢの端末Ｔが接続されている（通信）ネットワークＮに結合された情報源（１つまたは複数）ＩＳをブラウズするように構成された（一般に、ＨＴＴＰクライアントとして働く）ソフトウェアであることに留意されたい。
【００３１】
デバイスＤの第１のモジュールＦＭは、選択された瞬間に情報源（１つまたは複数）ＩＳで検索されるべき選択された情報を定義する少なくとも１つのセマンティック検索要求を（ローカルに、または遠くのサーバに）格納するように構成される。
【００３２】
本明細書では、「セマンティック検索要求」は、ユーザがそれに関して特定の情報を受信したいと思う主題またはトピックを定義する、好ましくは自然言語での、１つまたは複数の語を含む要求を意味する。そのような要求は、冠詞（１つまたは複数）、前置詞（１つまたは複数）または接続詞（１つまたは複数）のような関係のない可能性のある語（１つまたは複数）と共に、関係のある語（またはキーワード）（１つまたは複数）を備えてよい。例えば、セマンティック検索要求は、シリーズＬｏｓｔのシーズン３がいずれかのプロバイダでいつ販売用に入手可能になるかをユーザが知りたいと思うことを意味する「Ｌｏｓｔ、シーズン３の入手可能性」でもよい。他の例は、２００７年のカンヌ国際映画祭で撮られたＪｅａｎ  Ｄｕｍｏｎｔの最新の最も人気のある映画がどこに（どのウェブサイトのアドレスに）あるかをユーザが知りたいと思うことを意味する「カンヌ２００７におけるＪｅａｎ  Ｄｕｍｏｎｔの最新の最も人気のある映画を必要とする」でもよい。
【００３３】
セマンティック検索要求は、ユーザの端末Ｔの第１のモジュールＦＭの制御下で、およびユーザの端末Ｔのヒューマン／マシン・インターフェースＨＭＩ（特に、キーボードおよびマウス）を用いて、ユーザによって定義されることが可能である。例えば、ユーザは、新しいセマンティック検索要求を定義したいと思うときは、自分の端末ＴのブラウザＢにアクセスし、次いで、新しいセマンティック検索要求を定義することを提案する専用のメニューアイテムを選択することができる。この専用のアイテム選択は、デバイスＤ、およびより正確には端末Ｔの画面上に専用のウィンドウを生成するデバイスＤの第１のモジュールＦＭのロードを誘起し、ユーザはそのウィンドウに自分のセマンティック検索要求の語を書き込むことができる。ユーザが自分の要求を書き込み終わったとき、第１のモジュールＦＭがそのユーザの要求を（ローカルにまたは遠くのサーバに）格納する。
【００３４】
第１のモジュールＦＭはまた、セマンティック検索要求に対応する情報が検索されることをユーザが望む選択された瞬間（１つまたは複数）をユーザが自分の端末Ｔのヒューマン／マシン・インターフェースＨＭＩを用いて定義することができるようにすることに留意することは重要である。この目的のために、第１のモジュールＦＭは端末Ｔの画面上に別の専用ウィンドウを生成することが可能であり、ユーザはそのウィンドウで検索のための各選択された瞬間を定義することができる。この場合、ユーザが自分の要求および選択された瞬間の定義を書き込み終わったときに、第１のモジュールＦＭは、検索のための関連する選択された瞬間（１つまたは複数）に対応して要求を格納する。
【００３５】
一変形形態では、デバイスＤは、ユーザが自分の端末Ｔを情報源（１つまたは複数）ＩＳ（ここではインターネット）に接続するたびに、格納されているセマンティック検索要求よって定義された検索を自動的にトリガするように構成されてよい。したがって、この変形形態では、インターネットへの各接続は、検索のための選択された瞬間を定義する。
【００３６】
第２のモジュールＳＭは、選択された端末ユーザのために選択された瞬間ごとに（第１のモジュールＦＭによって格納された）セマンティック検索要求を自動的に解釈するように構成されたセマンティック・モジュールである。
【００３７】
本明細書では、「要求を解釈する」は、要求が含むキーワード（または関係のある語）（１つまたは複数）を抽出するために要求がセマンティックに解釈されるということを意味する。
【００３８】
第３のモジュールＴＭは、選択された瞬間に第２の（セマンティック）モジュールＳＭによって解釈されたばかりのセマンティック検索要求を自動的に実行し、この実行された要求に対応する情報が、ユーザ端末ＴがそのネットワークＮを介して接続されている情報源（１つまたは複数）ＩＳ（ここではインターネット）で見つけられたときに、対応するユーザに通知するように構成される。
【００３９】
本明細書では、「要求を実行する」は、解釈された要求が、要求された情報を情報源（１つまたは複数）ＩＳで検索するために、第３のモジュールＴＭによって使用されるということを意味する。
【００４０】
第３のモジュールＴＭが抽出されたキーワード（１つまたは複数）に対応する情報を何も見つけない場合は、第３のモジュールＴＭは、例えば、（同じセマンティック検索要求に関連する、または、やはり第１のモジュールＦＭによって格納された別のセマンティック検索要求に関連する）検索のための次の選択された瞬間まで働くのを停止してよい。
【００４１】
第３のモジュールＴＭが抽出されたキーワード（１つまたは複数）に対応する何らかの情報を見つけた場合は、第３のモジュールＴＭは対応するユーザに通知する。
【００４２】
本明細書では、「対応するユーザに通知する」は、第３のモジュールＴＭが、何らかの情報がそれに関して見つけられたセマンティック検索要求に関連して予め指定されているこのユーザの通信手段への通知メッセージの送信を（場合によっては、関係する端末Ｔに）トリガするということを意味する。
【００４３】
この通信手段は、好ましくはユーザ端末Ｔであるが、これは必須ではない。実際、この通信手段は、ユーザの移動電話など、ユーザの別の通信機器でもよい。そのような場合には、第１のモジュールＦＭは、例えば、端末Ｔの画面上に専用ウィンドウを生成することが可能であり、ユーザはそのウィンドウに、通知メッセージが送信されなければならない通信手段の通信識別子（電話番号またはＩＰアドレス）を書き込むことができる。この場合、ユーザが自分の要求（および、場合によっては、選択された瞬間の定義）、ならびに通信識別子を書き込み終わったときに、第１のモジュールＦＭは、検索のための可能な関連する選択された瞬間（１つまたは複数）および通信識別子に対応して要求を格納する。
【００４４】
ユーザ（およびより正確にはユーザの（選択された）通信手段）は、任意のタイプの通知メッセージによってでも通知されることが可能である。例えば、通知メッセージのタイプは、ＳＭＳ、電子メールまたはポップアップ・ウィンドウ、あるいはその他の任意の種類のウィンドウでもよい。第１のモジュールＦＭは、例えば、端末Ｔの画面上でさらに別の専用ウィンドウを生成することが可能であり、ユーザはそのウィンドウで通知メッセージのタイプを選択することができる。この場合、ユーザが自分の要求（および、場合によっては、選択された瞬間の定義および／または通信識別子）を書き込み終わり、通知メッセージのタイプを選択したときに、第１のモジュールＦＭは、通知メッセージのタイプ、ならびに検索のための可能な関連する選択された瞬間（１つまたは複数）および／または通信識別子に対応して要求を格納する。
【００４５】
通知メッセージは、セマンティック検索要求に対応する何らかの情報が第２のモジュールＳＭによって見つけられたことをユーザに通知することを意図される。したがって、通知メッセージは、例えば、すべて指定されたセマンティック検索要求に対する応答（または場合によってはＮの応答）があることを示す文を備えてよい。ユーザは、そのような通知メッセージを受信したとき、自分の端末ブラウザＢのページ（またはウィンドウ）で応答（１つまたは複数）を見るように案内されることが可能である。ユーザが（確認を用いて）同意した場合は、ページは、ユーザの端末Ｔの画面上に表示され、ユーザは、ウェブサイトに格納されていてセマンティック検索要求に対応する情報にアクセスするために、このウェブサイトＩＳの表示されたアドレス（またはリンク）を選択することができる。
【００４６】
通知メッセージは、場合によっては、要求された情報が見つけられたウェブサイト（１つまたは複数）ＩＳのアドレス（１つまたは複数）（またはリンク（１つまたは複数））をさらに備えてよい。この場合、ユーザがそのような通知メッセージを受信したとき、ユーザは、ウェブサイトＩＳに格納されていて元のセマンティック検索要求に対応する情報に自分の端末ブラウザＢを介して自動的にアクセスするために、メッセージが含むこのウェブサイトＩＳのアドレス（またはリンク）のうちの１つを選択することができる。
【００４７】
デバイスＤの少なくとも一部分、ならびに特に第２のモジュールＳＭおよび／または第３のモジュールＴＭは、クッキーの形で構成されてよい。
【００４８】
デバイスＤは１つまたは複数のセマンティック検索要求に専用でよいことに留意することは重要である。
【００４９】
デバイスＤがネットワークＮの中に分散されている場合は、第２のモジュールＳＭおよび第３のモジュールＴＭは、専用サーバの中に格納されてよく、一方、第１のモジュールＦＭは、端末Ｔの中に（場合によっては、プラグインの形で）配置されてよい。この場合、第１のモジュールＦＭは、第１のモジュールＦＭの端末Ｔに関するセマンティック検索要求を専用サーバに転送するように構成されてよく、第２のモジュールＳＭは、関連する選択された時間に（例えば、サーバがその接続を通知されることを必要とする、関係する端末ＴがインターネットＩＳに接続されるたびに）あらゆる格納されたセマンティック検索要求を解釈するように構成され、第３のモジュールＴＭは、解釈された要求を実行して、要求された情報を情報源（１つまたは複数）ＩＳで見つけようと努める。
【００５０】
本発明はまた、少なくとも１つの情報源ＩＳで、この（これらの）情報源（１つまたは複数）ＩＳに接続された端末Ｔを用いてセマンティック検索要求に対応する情報を自動的に検索するための第１の方法とみなされてよい。
【００５１】
そのような第１の方法は、唯一の図に関連して上記で説明されたものなどのデバイスＤを用いて実施されることが可能である。したがって、以下では、第１の方法の主な特徴だけが言及される。
【００５２】
本発明による第１の方法は、
−  選択された端末ユーザのために選択された瞬間に情報源（１つまたは複数）ＩＳで検索されるべき選択された情報を定義するセマンティック検索要求を格納するステップと、
−  選択された瞬間に（セマンティック・モジュールＳＭの助けを借りて）このセマンティック要求を自動的に解釈するステップと、
−  選択された瞬間に解釈された検索要求を自動的に実行し、ユーザの実行された要求に対応する情報が見つけられたときにユーザに通知するステップとから成る。
【００５３】
本発明はまた、ヒューマン／マシン・インターフェースＨＭＩを備えた少なくとも１つの端末Ｔのために少なくとも１つの情報源ＩＳでセマンティック検索要求に対応する情報を自動的に検索するためにクッキーを生成することを意図された第２の方法とみなされてよい。
【００５４】
そのような第２の方法は、唯一の図に関連して上記で説明されたものなどのデバイスＤを用いて実施されることが可能である。したがって、以下では第２の方法の主要な特徴だけが言及される。
【００５５】
本発明による第２の方法は、
−  選択された端末ユーザのために選択された瞬間に少なくとも１つの情報源ＩＳで選択された情報を検索することを意図されたセマンティック検索要求を定義するためのヒューマン／マシン・インターフェースＨＭＩを使用するステップと、
−  セマンティック・モジュールを備え、このセマンティック・モジュールを用いて定義されたセマンティック検索要求を自動的に解釈することを意図されたクッキーを生成し、次いで、選択された瞬間に解釈されたセマンティック検索要求を実行し、ユーザの実行された要求に対応する情報が見つけられたときに端末ユーザに通知するステップとから成る。
【００５６】
本発明は、例としてだけの、上記で説明された方法およびデバイスの諸実施形態に限定されるのではなく、添付の特許請求の範囲の中で当業者によって考慮されることが可能なすべての代替実施形態を包含する。
【図１】
0005529750.tif 000002